(57)【要約】【課題】　建物の室内の吸排気を邪魔になることなく室内に設けて室内の下部などから直接吸排気する。【解決手段】　互いに直交する帯板状の第１、第２の背面板１１、１２と帯板状の前面板１３とによって断面中空三角形を形成する吸気管１０（又は排気管）を構成し、吸気管１０（又は排気管）を室内の直交する２つの壁面３、４の接合部Ｃに沿って取付け、前面板１３あるいは下端面に吸気口（又は排気口）１４を設けて室内の空気を吸排気する。【選択図】　　　　図１
2004143926.tif 000002
【特許請求の範囲】
【請求項１】
　室内の直交する２つの壁面の接合部に沿って吸気管を取付ける吸気管の室内取付け構造であって、
　前記吸気管を、断面中空直角三角形を形成する互いに直交する帯板状の第１、第２の背面板と帯板状の前面板とによって構成し、
　前記第１、第２の背面板をそれぞれ室内の接合部の直交する２つの壁面に取付けることによって、前記吸気管を室内の直交する２つの壁面の接合部に沿って取付け、前記前面板に吸気口を設けて室内の空気を室外に排出するようにしたことを特徴とする吸気管の室内取付け構造。
【請求項２】
　室内の直交する２つの壁面の接合部に沿って排気管を取付ける排気管の室内取付け構造であって、
　前記排気管を、断面中空直角三角形を形成する互いに直交する帯板状の第１、第２の背面板と帯板状の前面板とによって構成し、
　前記第１、第２の背面板をそれぞれ室内の接合部の直交する２つの壁面に取付けることによって、前記排気管を室内の直交する２つの壁面の接合部に沿って取付け、前記前面板に排気口を設けて室外の空気を室内に排出するようにしたことを特徴とする排気管の室内取付け構造。
【請求項３】
　室内の直交する２つの壁面の接合部に沿って吸気管を取付ける吸気管の室内取付け構造であって、
　前記吸気管を、断面中空直角三角形を形成する互いに直交する帯板状の第１、第２の背面板と帯板状の前面板とによって構成し、
　前記第１、第２の背面板をそれぞれ室内の接合部の直交する２つの壁面に取付けることによって、前記吸気管を室内の直交する２つの壁面の接合部に沿って取付け、前記第１、第２の背面板及び前面板で構成される吸気管の下端面に吸気口を設けて室内の空気を室外に排出するようにしたことを特徴とする吸気管の室内取付け構造。
【請求項４】
　室内の直交する２つの壁面の接合部に沿って排気管を取付ける排気管の室内取付け構造であって、
　前記排気管を、断面中空直角三角形を形成する互いに直交する帯板状の第１、第２の背面板と、帯板状の前面板とによって構成し、
　前記第１、第２の背面板をそれぞれ室内の接合部の直交する２つの壁面に取付けることによって、前記排気管を室内の直交する２つの壁面の接合部に沿って取付け、前記第１、第２の背面板及び前面板で構成される吸気管の下端面に排気口を設けて室外の空気を室内に排出するようにしたことを特徴とする排気管の室内取付け構造。
【請求項５】
　室内の直交する２つの壁面の接合部に沿って吸気管を取付ける吸気管の室内取付け構造であって、
　前記吸気管を、帯板状の前面板と、互いに直交する帯板状の第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記吸気管を室内の直交する２つの壁面の接合部に沿って取付け、前記前面板に吸気口を設けて室内の空気を室外に排出するようにしたことを特徴とする吸気管の室内取付け構造。
【請求項６】
　室内の直交する２つの壁面の接合部に沿って排気管を取付ける排気管の室内取付け構造であって、
　前記排気管を、帯板状の前面板と、互いに直交する帯板状の第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記排気管を室内の直交する２つの壁面の接合部に沿って取付け、前記前面板に排気口を設けて室外の空気を室内に排出するようにしたことを特徴とする排気管の室内取付け構造。
【請求項７】
　室内の直交する２つの壁面の接合部に沿って吸気管を取付ける吸気管の室内取付け構造であって、
　前記吸気管を、帯板状の前面板と、互いに直交する帯板状の第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記吸気管を室内の直交する２つの壁面の接合部に沿って取付け、前記前面板、第１、第２の背面板、奥板で構成される吸気管の下端面に吸気口を設けて室内の空気を室外に排出するようにしたことを特徴とする吸気管の室内取付け構造。
【請求項８】
　室内の直交する２つの壁面の接合部に沿って排気管を取付ける排気管の室内取付け構造であって、
　前記排気管を、帯板状の前面板と、互いに直交する帯板状の第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記排気管を室内の直交する２つの壁面の接合部に沿って取付け、前記前面板、第１、第２の背面板、奥板で構成される吸気管の下端面に排気口を設けて室外の空気を室内に排出するようにしたことを特徴とする排気管の室内取付け構造。
【請求項９】
　室内の直交する２つの壁面の接合部に沿って吸気管を取付ける吸気管の室内取付け構造であって、
　前記吸気管を、帯板状の前面板と、互いに直交する帯板状の第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記吸気管を室内の直交する２つの壁面の接合部に沿って取付け、前記前面板に吸気口を設けて室内の空気を室外に排出するようにしたことを特徴とする吸気管の室内取付け構造。
【請求項１０】
　室内の直交する２つの壁面の接合部に沿って排気管を取付ける排気管の室内取付け構造であって、
　前記排気管を、帯板状の前面板と、互いに直交する帯板状の第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記排気管を室内の直交する２つの壁面の接合部に沿って取付け、前記前面板に排気口を設けて室外の空気を室内に排出するようにしたことを特徴とする排気管の室内取付け構造。
【請求項１１】
　室内の直交する２つの壁面の接合部に沿って吸気管を取付ける吸気管の室内取付け構造であって、
　前記吸気管を、帯板状の前面板と、互いに直交する帯板状の第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記吸気管を室内の直交する２つの壁面の接合部に沿って取付け、前記前面板、第１、第２の背面板、奥板で構成される吸気管の下端面に吸気口を設けて室内の空気を室外に排出するようにしたことを特徴とする吸気管の室内取付け構造。
【請求項１２】
　室内の直交する２つの壁面の接合部に沿って排気管を取付ける排気管の室内取付け構造であって、
　前記排気管を、帯板状の前面板と、互いに直交する帯板状の第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記排気管を室内の直交する２つの壁面の接合部に沿って取付け、前記前面板、第１、第２の背面板、奥板で構成される吸気管の下端面に排気口を設けて室外の空気を室内に排出するようにしたことを特徴とする排気管の室内取付け構造。
【請求項１３】
　室内の直交する２つの壁面の接合部に沿って吸気管を取付ける吸気管の室内取付け構造であって、
　前記吸気管を、帯板状の前面板と、互いに直角より大きな角度で交差する帯板状の第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記吸気管を室内の直交する２つの壁面の接合部に沿って取付け、前記前面板に吸気口を設けて室内の空気を室外に排出するようにしたことを特徴とする吸気管の室内取付け構造。
【請求項１４】
　室内の直交する２つの壁面の接合部に沿って排気管を取付ける排気管の室内取付け構造であって、
　前記排気管を、帯板状の前面板と、互いに直角より大きな角度で交差する帯板場野第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記排気管を室内の直交する２つの壁面の接合部に沿って取付け、前記前面板に排気口を設けて室外の空気を室内に排出するようにしたことを特徴とする排気管の室内取付け構造。
【請求項１５】
　室内の直交する２つの壁面の接合部に沿って吸気管を取付ける吸気管の室内取付け構造であって、
　前記吸気管を、帯板状の前面板と、互いに直角より大きな角度で交差する帯板状の第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記吸気管を室内の直交する２つの壁面の接合部に沿って取付け、前記前面板、第１、第２の背面板、奥板で構成される吸気管の下端面に吸気口を設けて室内の空気を室外に排出するようにしたことを特徴とする吸気管の室内取付け構造。
【請求項１６】
　室内の直交する２つの壁面の接合部に沿って排気管を取付ける排気管の室内取付け構造であって、
　前記排気管を、帯板状の前面板と、互いに直角より大きな角度で交差する帯板状の第１、第２の背面板と、第１、第２の背面板を連結する奥板とによって断面ほぼ台形状に構成し、
　前記第１、第２の背面板をそれぞれ室内の接合部の直交する２つの壁面に取付けることによって、前記排気管を室内の直交する２つの壁面の接合部に沿って取付け、前記前面板、第１、第２の背面板、奥板で構成される吸気管の下端面に排気口を設けて室外の空気を室内に排出するようにしたことを特徴とする排気管の室内取付け構造。
【請求項１７】
　室内の直交する２つの壁面の接合部に沿って吸気管を取付ける吸気管の室内取付け構造であって、
　前記吸気管を、帯板状の前面板と、互いに直角より大きな角度で交差する帯板状の第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記吸気管を室内の直交する２つの壁面の接合部に沿って取付け、前記前面板に吸気口を設けて室内の空気を室外に排出するようにしたことを特徴とする吸気管の室内取付け構造。
【請求項１８】
　室内の直交する２つの壁面の接合部に沿って排気管を取付ける排気管の室内取付け構造であって、
　前記排気管を、帯板状の前面板と、互いに直角より大きな角度で交差する帯板場野第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記排気管を室内の直交する２つの壁面の接合部に沿って取付け、前記前面板に排気口を設けて室外の空気を室内に排出するようにしたことを特徴とする排気管の室内取付け構造。
【請求項１９】
　室内の直交する２つの壁面の接合部に沿って吸気管を取付ける吸気管の室内取付け構造であって、
　前記吸気管を、帯板状の前面板と、互いに直角より大きな角度で交差する帯板状の第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記吸気管を室内の直交する２つの壁面の接合部に沿って取付け、前記前面板、第１、第２の背面板、奥板で構成される吸気管の下端面に吸気口を設けて室内の空気を室外に排出するようにしたことを特徴とする吸気管の室内取付け構造。
【請求項２０】
　室内の直交する２つの壁面の接合部に沿って排気管を取付ける排気管の室内取付け構造であって、
　前記排気管を、帯板状の前面板と、互いに直角より大きな角度で交差する帯板状の第１、第２の背面板と、第１、第２の背面板を連結する奥板とによって断面ほぼ台形状に構成し、
　室内の接合部の直交する２つの壁面角部に第１の係止具を設けるとともに、前記奥板の外面に前記第１の係止具と協働する第２の係止具を設けて、前記第１の係止具と第２の係止具とによって、前記排気管を室内の直交する２つの壁面の接合部に沿って取付け、前記前面板、第１、第２の背面板、奥板で構成される吸気管の下端面に排気口を設けて室外の空気を室内に排出するようにしたことを特徴とする排気管の室内取付け構造。
【発明の詳細な説明】
【技術分野】
【０００１】
　本発明は吸気管あるいは排気管を室内に設けるための取付け構造に関する。
【背景技術】
【０００２】
　建造物の部屋の内部には、人間の体臭などのいやな臭い、タバコの煙、料理の匂い、湿気などがこもる。特に、近年高齢化社会になるにつれ、部屋内の悪臭の増加が進行している。また特にトイレ内も悪臭が生じる。このため、室内の空気を外部へ排出し換気する必要がある。
　また新築のマンションなどでは、いわゆるシックハウスの原因とされるホルムアルデヒドなどの有害物質が残留しており、外部へ排出し換気する必要がある。
【０００３】
　部屋内部の空気を換気するため、従来では一般に天井裏空間を利用して、この天井裏空間内に円形断面の吸気管を設け、天井に設けた吸気口からこの吸気管によって部屋内の空気を建物外へ排出させている。
【発明の開示】
【発明が解決しようとする課題】
【０００４】
　しかしながら、臭い物質などを含んだ空気は比重が重く部屋内の下部に溜まるため、このように天井に設けた吸気口からは部屋内の空気が外部へ排出されにくかった。
【０００５】
　本発明はこのような問題を解決し、吸気管あるいは排気管を室内に取付けられるようにした取付け構造を提供することを目的としている。
【課題を解決するための手段】
【０００６】
　前記目的を達成するために、本発明では、
　室内の直交する２つの壁面の接合部に沿って、断面中空ほぼ直角三角形状の吸気管あるいは排気管を取付けて、前記前面板あるいは下端面に吸気口あるいは排気口を設けて室内の空気を室外に排出したり、あるいは室外の空気を室内へ排出するようにしたことを特徴としている。
【発明の効果】
【０００７】
　このようにすれば、室内の２つの壁面の接合部に沿って吸気口あるいは排気口を備えた吸気管あるいは排気管を室内に邪魔になることなく設けて、室内の下部などから吸気して外部へ排出したり、室内の下部などへ外部の空気を排出したりすることができる。
【０００８】
　従って、例えばリフォーム工事の際に後付けで、吸気管あるいは排気管を邪魔になることなく部屋に設けることができ、部屋の下部など所望の位置で吸気あるいは排気をすることができる。
【発明を実施するための最良の形態】
【０００９】
　本発明では、通常では使用していない室内のコーナー部に断面ほぼ三角形状の吸気管あるいは排気管に設けて、室内の下部あるいは中間部において吸気あるいは排気するように構成している。
【００１０】
　図１〜３は本発明の一実施形態を示している。
　図中、１は部屋の床材、２は天井材、３、４は互いに直交する壁面である。
　この互いに直交する２つの壁面３、４の接合部（コーナー部）Ｃに沿って上下方向に、断面が中空の直角三角形を形成する吸気管１０が、床材１の上方（あるいは床１の上面）から天井材２を貫いて天井裏空間５に達する高さまで取付けられている。
【００１１】
　この三角形筒状の吸気管１０は、図２に示すように、互いに直交する帯板状の第１、第２の背面板１１、１２と、帯板状の前面板１３とによって構成されている。
【００１２】
　例えば、第１、第２の背面板１１、１２は一体的に形成されていて、前記前面板１３の横方向の両端を第１、第２の背面板１１、１２の前縁部１１ａ、１２ａにネジ止めあるいは嵌め込みなどの適宜手段で取付けることができる。
【００１３】
　従って、例えばリフォーム時に、図３に示すように直交する２つの壁面３、４の接合部Ｃの上方の天井材２の接合部（コーナー部）Ｃを吸気管１０と同一の直角三角形状に切欠いて穴２ａを設け、第１、第２の背面板１１、１２の上端をこの穴２ａから天井裏空間５内に所定長さだけ進入するように入れて、第１、第２の背面板１１、１２をネジ止めあるいは接着などの適宜手段で壁面３、４に固定する。
【００１４】
　そして、帯板状の前面板１３の上端を第１、第２の背面板１１、１２に合わせて穴２ａから上方へ進入させて、第１、第２の背面板１１、１２の前面を覆い、前面板１３の横方向の両端を第１、第２の背面板１１、１２の前縁部１１ａ、１２ａにネジ止めあるいは嵌め込みなどの適宜手段で取付ける。図２では、第１、第２の背面板１１、１２の前縁部１１ａ、１２ａにそれぞれ嵌合穴１１ｂ、１２ｂを設け、前面板１３の横方向の両端の裏面に突起１３ａ、１３ｂを設けて、この突起１３ａ、１３ｂを嵌合穴１１ｂ、１２ｂに嵌合した状態を示している。
【００１５】
　なお、第１、第２の背面板１１、１２及び前面板１３を予め一体的に構成して第１、第２の背面板１１、１２の接着によって接合部（コーナー部）Ｃに取付けてもよい。
【００１６】
　前面板１３には、上下方向の下部あるいは中間部、上部など適宜位置を選んで吸気口１４が設けられている。吸気口１４にはゴミが流入しないように網目状のフィルタ（図示せず）を取付けることが望ましい。
【００１７】
　なお、壁面シート（図示せず）を、前面板１３の表面に（吸気口１４を除いて）隣接する壁面３、４の表面と一体的にカバーして接着したり、あるいはペンキを塗ったりすれば、吸気管１０が室内壁面の一部のような外観となる。
【００１８】
　天井裏空間５において、吸気管１０の上端を、図４に示す連結エルボー管２０によって天井裏空間５に配置した円筒状のパイプ３０と連結する。
　即ち、この連結エルボー管２０は直角三角形状部２１と円筒状部２２が両端に設けられていて、直角三角形状部２１を吸気管１０の上端に差し込み（あるいは吸気管１０の上端を差し込み）、円筒状部２２をパイプ３０に差し込む（あるいは円筒状部２２に差し込む）。
【００１９】
　パイプ３０の他端は、図示しない建物外壁あるいは間仕切壁の穴に連通していて、ファン（図示せず）でパイプ３０からの空気を外部へ排出する。
　従って、部屋のコーナー部の下部や中空部、上部などの吸気管１０の吸気口１４から部屋内の空気はパイプ３０を通って外部へ排出される。
【００２０】
　以上、吸気管１０について説明したが、全く以上と同じ構成で吸気管を排気管として用いることもできるので、排気管の取付けについては説明を省略する。
【００２１】
　即ち、ファンで逆に外からの空気をパイプ３０から排気管側へ送り込むようにすれば、外部の空気が室内の接合部（コーナー部）Ｃに設けた排気管の前面板の排気口から部屋内へ排出される。
【００２２】
　従って、例えば冷暖房装置（図示せず）からの送風を前記パイプ３０に送り込んで、排気管の排気口から冷風あるいは暖風を部屋内へ送り込むこともできる。
【００２３】
　図５はトイレなどの狭い部屋Ｒの１つのコーナー部に吸気管１０を取付けた場合を示している。
　なお、もう１つのコーナー部に排気管４０を設ければ、ドア５０の開閉時に密閉空間の空気の抵抗を受けなくなる。
【００２４】
　なお、図６のように、部屋の壁面あるいは間仕切壁６０に穴６０ａを設け、吸気管１０の第１、第２の背面板１１、１２のいずれかにも穴６１を設けて、この穴６１、６０ａから部屋内の空気を外部へ排出させるようにしてもよい。このようにすれば天井材２に前記穴２ａをあける必要がなくなる。なお、このことは排気管の場合でも同様である。
【００２５】
　以上、本発明の実施形態を説明したが、本発明の構成は前記実施形態の構成にのみ限定されるものではなく種々の変形が可能なことは勿論であり、例えば、図７に示すように、吸気管１０の下端を床材１の上方にし、吸気管１０の下端面１５に吸気口１６を設けてもよい。この下端面１５と前面板１３の双方にそれぞれ吸気口１６、１４を設けてもよいことは勿論である。
　なお、このことは排気管の場合も同じで、排気管の下端面に排気口を設けてもよい。
【００２６】
　また、図２に示した吸気管１０を、図８に示すように互いに直交する帯板状の第１、第２の背面板１１、１２と、第１、第２の背面板１１、１２を連結する奥板１７とによって断面ほぼ台形状に構成してもよい。なお、このことは排気管の場合も同じである。
【００２７】
　また、吸気管１０を図８のような構造にした場合、図９、図１０に示すように室内の接合部（コーナー部）Ｃと吸気管１０の奥板１７の間の空間を利用して次のように吸気管１０を取付けることもできる。
【００２８】
　即ち、接合部（コーナー部）Ｃの壁面３、４に第１の係止具７０を固定する。第１の係止具７０は平板７１の両側に互いに直角な２つの側板７２、７３が連設されたもので、平板７１に切り起こし加工によって係止片７４が設けられている。この第１の係止具７０の両側板７２、７３をビス止めなどの手段で壁面３、４に固定する。
【００２９】
　吸気管１０の奥板１７の外面には、図１１に示すような第２の係止具８０を固定する。第２の係止具８０には、前記係止片７４に係止される係止突片８２が平板状の取付板８１に切り起こし加工によって設けられている。
【００３０】
　このため、上下方向の１ケ所あるいは複数ケ所において第２の係止具８０の係止突片８２を第１の係止具７０の係止片７４に上からいれて係止することによって吸気管１０を取付けることができる。
　なお、このことは排気管でも同じである。
【００３１】
　なお、図１３に示すように、第１の係止具７０の平板７１は図９、１０のような係止片７４を設けず、平板のままにする。そして、第２の係止具８０の取付け板８１の上端から折曲げ加工によって係止突片８３を設ける。
【００３２】
　このようにして、第２の係止具８０の係止片８３を第１の係止具７０の平板７１の背面側にいれて係止突片８３と取付け板８１の境界部の内面を第１の係止具７０の平板７１の上端面７１ａに接触した状態にして第２の係止具８０を第１の係止具７０に係止するようにしてもよい。
【００３３】
　なお、第１、第２の係止具７０、８０は協働して互いに係止できる構造であればよく、一方に係止片、他方にこの係止片が係止できる穴にしてもよい。
【００３４】
　なお、吸気管１０（排気管も同じ）は鉄板、アルミ板、ブリキ、木材などで作成することができ、また、前面板１３と第１、第２の背面板１１、１２の前端部との固定方法は、図２のような嵌合ではなく、リベットやビスによる固定でもよい。
【００３５】
　また、第１、第２の背面板１１、１２と前面板１４（あるいは奥板１７が存在する場合には奥板１７も）をプラスチックの一体成型によって形成してもよい。
【００３６】
　このようにした場合、図１１や図１４に示したような係止突片８２、８３を吸気管１０（あるいは排気管）の奥板１７の背面にプラスチックの一体成型によって突設してもよい。
【００３７】
　なお、図１２に示すように、吸気管１０（排気管の場合も同じ）の第１、第２の背面板１１、１２を互いに直角より大きい角度で交差してもよい。このようにすれば、室内のコーナー部の壁面３、４が完璧に直交していない場合でも、前記第１、第２の係止具７０、８０で取付けて、第１、第２の背面板１１、１２の前端側１１ａ、１２ａがそれぞれ壁面３、４に密着した状態にすることができる。
【００３８】
　なお、吸気管１０（排気管の場合も同じ）の第１、第２の背面板１１、１２を互いに直角より大きい角度で交差するようにすれば、図１２に示すように壁面３、４に固定した第１の係止具７０と吸気管１０（排気管も同じ）の奥板１７に固定した第２の係止具８０によって吸気管１０を取付けてもよいが、図示しないが壁面３、４に第１の係止具７０を取付け、吸気管１０の第１、第２の背面板１１、１２の外面に第２の係止具８０を取付けて、第１、第２の係止具７０、８０によって、吸気管１０（排気管の場合も同じ）を取付けてもよい。
　なお、以上吸気管１０の取付けについて例示したが排気管の取付けにおいても全く同様である。
【００３９】
　なお、以上、図３で説明した実施形態では、室内の接合部（コーナー部）Ｃにおいて天井材２に穴２ａをあけて吸気管１０（あるいは排気管）の上端を天井裏空間５に差し込むようにしているが、今まで説明したすべての実施例において、図１５に示すように、天井材２に換気扇の穴（図示せず）が設けてある場合には、この穴を囲むように天井材２の下面に、側壁に穴を備えた換気扇カバー９１を取付け、吸気管１０（あるいは排気管）の上部において前面板１３に穴９５を設け、この穴９５と換気扇カバー９１の穴を通気管９６（例えば蛇腹式など）で連通してもよい。
【産業上の利用可能性】
【００４０】
　本発明は室内のコーナー部に邪魔になることなく設置でき、室内の悪臭などを室内から外部へ排気したり、あるいは室内へ暖冷房の空気や外気などを注入することもできる。
【図面の簡単な説明】
【００４１】
【図１】本発明の一実施形態を示す正面図
【図２】同実施形態における水平断面図
【図３】同実施形態における縦断面図
【図４】連結エルボー管を示す斜視図
【図５】トイレにおける吸気管などの取付け状態を示す水平断面図
【図６】本発明の他の実施形態の取付け状態を示す縦断面図
【図７】本発明の他の実施形態を示す縦断面図
【図８】本発明の他の実施形態を示す水平断面図
【図９】第１の係止具の一例を示す水平断面図
【図１０】図９におけるＡ−Ａ断面図
【図１１】第２の係止具の一例を示す斜視図
【図１２】本発明の他の実施形態を示す水平断面図
【図１３】第１の係止具の他の例を示す斜視図
【図１４】第２の係止具の他の例を示す斜視図
【図１５】本発明の他の実施形態を示す水平斜視図
【符号の説明】
【００４２】
　１　床材
　２　天井材
　３、４　壁面
　Ｃ　接合部
　１０　吸気管
　１１　第１の背面板
　１２　第２の背面板
　１３　前面板
　１４　吸気口
　１６　吸気口
　１７奥板
　２０　連結エルボー管
　３０　パイプ
　７０　第１の係止具
　８０　第２の係止具
　９６　通気管
【図１】
2004143926.tif 000003
【図２】
2004143926.tif 000004
【図３】
2004143926.tif 000005
【図４】
2004143926.tif 000006
【図５】
2004143926.tif 000007
【図６】
2004143926.tif 000008
【図７】
2004143926.tif 000009
【図８】
2004143926.tif 000010
【図９】
2004143926.tif 000011
【図１０】
2004143926.tif 000012
【図１１】
2004143926.tif 000013
【図１２】
2004143926.tif 000014
【図１３】
2004143926.tif 000015
【図１４】
2004143926.tif 000016
【図１５】
2004143926.tif 000017